(57)【特許請求の範囲】
【請求項１】
化学エネルギーを利用した水蒸気発生部を有し、水蒸気発生面が目及び目の周囲に適用される水蒸気発生体において、
該水蒸気発生面が透湿性素材から形成され、該水蒸気発生面から放出される水蒸気の温度が５０℃以下に制御されており、
適用時に、目用水蒸気発生体が目及び目の周囲を覆うアイマスク様形状をなしており且つ水蒸気発生部が目上に位置するように配設されており、
水蒸気温度を５０℃以下に制御する温度調節材として、（１）織布、不織布、（２）紙類、（３）プラスチック、天然ゴム、再生ゴム又は合成ゴムから形成した多孔性フィルム又は多孔性シート、（４）穿孔を有する発泡プラスチック及び（５）穿孔を有する金属箔の少なくとも１種を含む積層物が設けられている
ことを特徴とする目用水蒸気発生体。
【請求項２】
水蒸気発生部が着脱可能に配設されている請求項１記載の目用水蒸気発生体。
【発明の詳細な説明】
【０００１】
【発明の属する技術分野】
本発明は、目の乾きが主要な原因となって生じる眼精疲労に対し、目の周辺に侵害刺激にならない温度以下に制御されたスチームを導き、眼精疲労の緩和と改善を図る目用水蒸気発生体に関する。
【０００２】
【従来の技術】
今日の情報が氾濫するストレス社会において、目の疲れ（眼精疲労）を訴える人は多い。眼精疲労の主要な原因の一つとして、コンピューター作業等のＶＤＴ（Ｖｉｓｕａｌ  Ｄｉｓｐｌａｙ  Ｔｅｒｍｉｎａｌ）作業、自動車の運転、テレビ観賞、学習、読書等において、目を、まばたき回数の著しく少ない凝視状態におく結果、目表面の重要な保護成分である涙の蒸発量が増加することによる目の乾燥が考えられている。また、今日のＶＤＴ作業等を行う環境は、一般に空調が施された低湿度状態でであるため目が乾燥し易い状況にあるので、この点からも目の乾燥による眼精疲労が助長されると考えられている。
【０００３】
さらに、最近、多くの人に利用されているコンタクトレンズは、涙に浮かぶ状態で角膜上に装着して用いられる。このため、特に涙の分泌量が少ない人にとっては、目が乾燥するとコンタクトレンズが角膜を傷つけるおそれがあり、目の乾燥は、単なる眼精疲労にとどまらない問題の原因となっている。
【０００４】
このような眼精疲労、その他の問題の原因となる目の乾きに対し、目薬の点眼や蒸しタオルをあてることなどが対処療法的に行われている。
【０００５】
【発明が解決しようとする課題】
目薬の点眼は、目の乾きを癒すのに効果的な方法ではあるが、目薬の保存安定性の観点から添加されている防腐剤により、新たな傷害が生じているのも事実である。
【０００６】
一方、蒸しタオルは目に安全な湿気を供給することができるが、手軽に用意することができず、任意の場所で随時利用できるとは限らない。
【０００７】
この他、目に水蒸気を供給する方法としては、酸とアルカリの中和熱、無機塩の水和熱、鉄粉のような金属の酸化熱等の化学エネルギーを利用して水を加熱水蒸気化し、その水蒸気を供給する方法が考えられる。しかし、これらの方法により供給される水蒸気を単に利用しても、水蒸気温度のコントロールが困難であり、また直接的な供給は安全性の点で問題がある。
【０００８】
このような従来の対処療法的手法に対し、本発明は、眼精疲労、その他の問題を引き起こす目の乾きを防止しあるいは癒すため、簡便に且つ、蒸しタオルのような安全な湿気を持続的に目及び目の周囲へ導けるようにすることを目的とする。
【０００９】
上記の目的を達成するため、本発明は、化学エネルギーを利用した水蒸気発生部を有し、水蒸気発生面が目及び目の周囲に適用される水蒸気発生体において、
該水蒸気発生面が透湿性素材から形成され、該水蒸気発生面から放出される水蒸気の温度が５０℃以下に制御されており、
適用時に、目用水蒸気発生体が目及び目の周囲を覆うアイマスク様形状をなしており且つ水蒸気発生部が目上に位置するように配設されており、
水蒸気温度を５０℃以下に制御する温度調節材として、（１）織布、不織布、（２）紙類、（３）プラスチック、天然ゴム、再生ゴム又は合成ゴムから形成した多孔性フィルム又は多孔性シート、（４）穿孔を有する発泡プラスチック及び（５）穿孔を有する金属箔の少なくとも１種を含む積層物が設けられている
ことを特徴とする目用水蒸気発生体を提供する。
【００１０】
本発明の目用水蒸気発生体によれば、その水蒸気発生部に化学エネルギーを利用しているので、電気ヒーターあるいは超音波を利用して水蒸気を発生させる場合に比して、随時、簡便に目及び目の周囲に水蒸気を供給することができる。さらに、水蒸気発生体の表面から放出される水蒸気温度が５０℃以下に制御されているので、心地よく安全に使用することができる。
【００１１】
【発明の実施の形態】
以下、本発明を詳細に説明する。
【００１２】
本発明の目用水蒸気発生体は、目及び目の周囲に適用するものである。ここで、水蒸気発生体を目及び目の周囲に適用するとは、水蒸気発生体を目又は目の周囲の皮膚に直接的に接触させることと、接触させることなくその近傍に配することの双方を包含する。
【００１３】
本発明の目用水蒸気発生体は、水蒸気発生部に化学エネルギーを利用していることを特徴の一つとしている。
【００１４】
ここで、化学エネルギーとしては、酸とアルカリの中和熱、無機塩類（塩化カルシウム、塩化マグネシウム、酸化カルシウム、酸化マグネシウム、ゼオライト等）の水和熱、金属粉の酸化熱等をあげることができる。
【００１５】
かかる化学エネルギーの水蒸気発生部における具体的利用態様は、利用する当該化学エネルギーの反応形態に応じて適宜定める。例えば、酸とアルカリの中和熱や、無機塩類の水和熱等を利用する場合、水蒸気発生部は、中和熱や水和熱を発生させる加熱部と、これらから発生する熱によって水蒸気を放出する蒸発部とから構成することができる。この場合、加熱部は、反応させる反応物同士を仕切壁で分離し、水蒸気を発生させるときに随時その仕切壁を破り、反応を進行させられるようにすればよい。また、蒸発部は、例えば、紙、織布、不織布等の繊維集合体や多孔質体に水を含浸させたものから構成し、加熱部の発熱により水蒸気が放出されるようにすればよい。
【００１６】
化学エネルギーとして金属粉の酸化熱を利用する場合、水蒸気発生部は、金属粉（例えば、鉄、アルミニウム、亜鉛、銅等）、触媒となる塩類（例えば、塩化ナトリウム、塩化カリウム等のアルカリ金属の塩化物、塩化カルシウム、塩化マグネシウム等のアルカリ土類金属の塩化物等）、及び水を含有した水蒸気発生組成物から構成される。この組成物には、必要に応じて、保水剤（例えば、バーミュキュライト、ケイ酸カルシウム、シリカゲル、シリカ系多孔質物質、アルミナ、パルプ、木紛、吸水ポリマー等）、反応促進剤（例えば、活性炭、カーボンブラック、黒鉛等）等を含有させることができる。この水蒸気発生組成物は、次式
【００１７】
【化１】
Ｆｅ＋３／４Ｏ２＋３／２Ｈ２Ｏ→Ｆｅ（ＯＨ）３＋９６ｋｃａｌ
のように金属粉が酸化する発熱反応をおこし、系内の水を水蒸気として放出することにより水蒸気発生部として機能する。なお、この水蒸気発生組成物の発熱反応は、一般に化学カイロと称されている発熱体で利用されているものである。
【００１８】
この水蒸気発生組成物の発熱反応時に放出される蒸気温度は、その組成物への通気量を制御せず大気中に開放又はそれに近い状態にすると６０℃以上となる。６０℃以上の水蒸気が、目及び目の周囲に持続的に適用されると安全性上の問題がひきおこされるおそれがある。そこで、本発明においては、水蒸気温度を５０℃以下に温度制御する。
【００１９】
本発明においては、このような温度制御を、前述の酸とアルカリの中和熱、無機塩類の水和熱等の化学エネルギーを利用する場合にも行う。
【００２０】
本発明において、目用水蒸気発生体から放出される水蒸気温度を５０℃以下に制御するにあたり、その温度測定は、室温環境（２５℃、６５％ＲＨ）で目用水蒸気発生体を外気遮断容器から取り出し、その水蒸気発生面を上面にして発泡スチロール製の台に置き、目用水蒸気発生体に加重を掛けないようにしてその表面に温度測定器（タバイエスペック（株）製、サーモレコーダＲＴ−１０）の温度検知部をセットし、目用水蒸気発生体表面の温度を１５分間測定することによりなされる。
【００２１】
温度制御の具体的態様は、水蒸気発生部で利用する化学エネルギーの反応形態、利便性等に応じて適宜定めることができる。例えば、水蒸気発生部で反応させる反応物の量、反応物が粒体である場合にはその粒径等を適宜変えることにより反応速度を調整し、これにより目用水蒸気発生体表面から放出される水蒸気温度を制御する。また、水蒸気発生部と目用水蒸気発生体表面との間に温度調節材を設け、水蒸気発生部から放出された水蒸気が温度調節材を透過することにより水蒸気温度が下がるようにしてもよい。このような温度調節材を用いて温度制御すると、水蒸気発生部で利用する化学エネルギーの形態によらず、確実かつ簡便に目用水蒸気発生体表面から放出される水蒸気温度を５０℃以下に制御できるので好ましい。
【００２２】
温度調節材の構成素材としては、（１）織布、不織布、（２）紙、合成紙等の紙類の他に（３）プラスチック、天然ゴム、再生ゴム又は合成ゴムから形成した多孔性フィルム又は多孔性シート、（４）穿孔を有するウレタンフォーム等の発泡プラスチック、及び（５）穿孔を有するアルミ箔等の金属箔、の少なくとも一種を使用することができる。
【００２３】
温度調節材の厚さは、それを形成する個々の構成素材の材質、複数の構成素材を積層する場合にそれらの組み合わせ態様等に応じて適宜定めることができる。例えば、温度調節材を単層の不織布から形成する場合、その厚さは、０．１ｍｍ以上とすることが好ましく、１ｍｍ以上とすることがより好ましい。また、上述のような構成素材から温度調節材を形成する場合に、厚みをコンパクトにし、かつそれを通過する水蒸気の温度調節能を高めるため、温度調節材は、複数種の構成素材からなる積層物とすることが好ましい。
【００２４】
また、本発明において、目用水蒸気発生体の単位表面積あたりの水蒸気発生量は、目又は目の周囲への水蒸気供給効果の点から、０．０１ｍｇ／ｃｍ２・ｍｉｎ以上となるように調整することが好ましい。なお、この水蒸気発生量は、室温環境（２５℃、６５％ＲＨ）下で目用水蒸気発生体を外気遮断容器から取り出し、直ちに小数点以下３桁まで測定可能な上皿天秤に載せ、その後１５分間重量測定を行った場合において、測定開始時の重量をＷｔ０（ｇ）とし、１５分後の重量をＷｔ１５（ｇ）とし、目用水蒸気発生体表面の表面積をＳ（ｃｍ２）としたときに、以下の式により算出されるものである。
【００２５】
【数１】
水蒸気発生量(mg/cm2/min) ＝ （Ｗt0−Ｗt15 ）・１０００／１５ｓ
目用水蒸気発生体表面からの水蒸気発生量を０．０１ｍｇ／ｃｍ２／ｍｉｎ以上に調整するための具体的方法としては、例えば、水蒸気発生部を化学カイロの水蒸気発生組成物から構成する場合、水蒸気発生部の包装材あるいは温度調節材として十分な透湿性を有するものを使用すればよい。
【００２６】
以下、本発明の好ましい態様を、図面を参照しつつ詳細に説明する。なお、各図中、同一符号は同一又は同等の構成要素を表している。
【００２７】
図１は、本発明の一態様の目用水蒸気発生体１０Ａの構成要素の平面的な位置関係を示した図（同図（ａ））及び部分断面図（同図（ｂ））である。
【００２８】
この目用水蒸気発生体１０Ａは、水蒸気発生組成物１を収容した透湿性内袋２と、透湿性内袋２上に積層された温度調節材３と、これら全体を収容する透湿性外袋４と、さらに外側でこれらを密封する密封袋５からなっている。
【００２９】
この目用水蒸気発生体１０Ａは、未使用の保存時には、密封袋５に密封されているが、使用時には密封袋５を破って内容物を取り出し、その透湿性外袋４の水蒸気発生面４ａを目及び目の周囲に適用することにより使用される。
【００３０】
ここで、水蒸気発生組成物１としては、前述の金属粉の酸化熱を利用したものが使用される。
【００３１】
透湿性内袋２は、目用水蒸気発生体１０Ａを目に適用した場合に、図中点線で示す両眼とその周囲を覆うように、目用水蒸気発生体１０Ａ内で２カ所に区分されて配設されている。
【００３２】
透湿性内袋２は、目に適用する側の面（水蒸気発生面２ａ）が透湿性素材から構成されている。透湿性素材としては、十分な水蒸気通過量が得られ、水蒸気発生組成物１が漏れ出ないものであれば特に限定されるものではない。具体的には、ナイロン、ビニロン、ポリエステル、レーヨン、アセテート、アクリル、ポリエチレン、ポリプロピレン、ポリ塩化ビニル等の人工繊維、パルプ、綿、麻、絹、獣毛等の天然繊維から選ばれた１種又は２種以上を混合した織布、不織布、紙、合成紙及びポリエチレン、ポリプロピレン、ポリアミド、ポリエステル、ポリ塩化ビニル、ポリ塩化ビニリデン、ポリウレタン、ポリスチレン、エチレン−酢酸ビニル共重合体ケン化物、エチレン−酢酸ビニル共重合体、天然ゴム、再生ゴム、合成ゴム等の非通気性フィルム、シートに穿孔を設けたもの等が挙げられる。
【００３３】
一方、上述の水蒸気発生面２ａと反対側の透湿性内袋２の面２ｂは、非透湿性素材から構成されている。このように水蒸気発生組成物１を収容する透湿性内袋２の一方の面２ｂを非透湿性とすることにより、水蒸気発生組成物１から放出された水蒸気を効率よく目又は目の周囲に導くことができる。
【００３４】
また、この透湿性内袋２の非透湿性の面２ｂは、固定台としての不織布３ａに貼着され、固定されている。
【００３５】
透湿性内袋２の水蒸気発生面２ａ上に積層された温度調節材３は、図１（ｂ）に示されているように、４枚の不織布３ａと２枚の紙３ｂとの積層物からなっている。なお、本発明において、温度調節材３としては、この図１の目用水蒸気発生体１０Ａの態様に限られず、前述した種々の構成素材を単独であるいは組み合わせて使用することができる。また、図１の目用水蒸気発生体１０Ａのように温度調節材３を透湿性内袋２と別個に設けることなく、透湿性内袋２に温度調節材３の機能をもたせてもよい。ただし、経済性、技術性、製造上の容易性、安全性等の点からは、温度調節材３は、透湿性内袋２と別個に形成することが好ましい。
【００３６】
透湿性外袋４は、水蒸気発生組成物１を収容した透湿性内袋２と、温度調節材３の全体を収容しており、その外形が、アイマスク様形状となっている。このように目用水蒸気発生体１０Ａの適用時の外形をなす透湿性外袋４をアイマスク様形状とすることにより、目用水蒸気発生体１０Ａのフィット感を向上させることができる。なお、アイマスク様形状としては、或る程度の厚みを有するものの他、薄いシート状のものも含まれる。
【００３７】
透湿性外袋４の目に適用する側の面（水蒸気発生面４ａ）の周辺部には粘着材９が貼着されている。これにより、目用水蒸気発生体１０Ａを目及び目の周囲へ容易に固定することが可能となる。なお、目用水蒸気発生体１０Ａは、それを手で支持することによっても適用部位に固定できるので、本発明において粘着材９は省略してもよい。
【００３８】
図２は、図１と異なる本発明の目用水蒸気発生体１０Ｂの構成要素の平面的な位置関係を示した図（同図（ａ））及び部分断面図（同図（ｂ））である。
【００３９】
この目用水蒸気発生体１０Ｂは、上述の図１の水蒸気発生体１０Ａに対して、水蒸気発生組成物１を収容した透湿性内袋２として、平均粒径の小さい金属粉からなる第１の水蒸気発生組成物１ｐを収容した第１の透湿性内袋２ｐと、平均粒径の大きい金属粉からなる第２の水蒸気発生組成物１ｑを収容した第２の透湿性内袋２ｑとが、それぞれ水蒸気発生体１０Ｂの適用時に目元と目尻の上に位置するように、２個ずつ設けられている点が異なっている。
【００４０】
この第１の水蒸気発生組成物１ｐは、第２の水蒸気発生組成物１ｑに比して金属粉の平均粒径が小さいので、目用水蒸気発生体１０Ｂの使用時に、密封袋５から透湿性外袋４を取り出した場合に、第２の水蒸気発生組成物１ｑよりも酸化反応開始時の発熱の立ち上がりが速く、速やかに水蒸気を発生する。したがって、即時性水蒸気発生組成物ということができる。これに対して、第２の水蒸気発生組成物１ｑは、第１の水蒸気発生組成物１ｐに比して酸化反応開始時の発熱及び水蒸気発生の立ち上がりは遅れるが、第１の水蒸気発生組成物１ｐが酸化反応を完了し、水蒸気の発生が停止した後も持続的に水蒸気を発生する。したがって、持続性水蒸気発生組成物ということができる。一方、温度調節材３及び透湿性外袋４を介してこれらから水蒸気の供給を受ける目及び目の周囲は、水蒸気の供給源が、第１の水蒸気発生組成物（即時性水蒸気発生組成物）１ｐであるか、第２の水蒸気発生組成物（持続性水蒸気発生組成物）１ｑであるかを区別できない。したがって、図２に示したように、第１の水蒸気発生組成物（即時性水蒸気発生組成物）１ｐと第２の水蒸気発生組成物（持続性水蒸気発生組成物）１ｑとを並置することにより、感覚上、水蒸気発生体１０Ｂを目及び目の周囲に適用した場合の水蒸気発生の速やかな立ち上がりと水蒸気の持続的な供給の双方が感じられるようになる。
【００４１】
ここで、即時性水蒸気発生組成物１ｐに含有させる金属粉の粒径は、７５μｍ未満とすることが好ましく、特に１０〜３２μｍとすることが好ましい。１０μｍ未満の粒子が多くなると内袋より鉄粉が洩れ出し易くなる。一方、持続性水蒸気発生組成物１ｑに含有させる金属粉の粒径は、７５μｍ以上とすることが好ましく、特に１５０〜３００μｍとすることが好ましい。３００μｍを超える粒子が多くなると、発熱速度が遅く、十分な水蒸気量が得られにくい。
【００４２】
図３は、さらに異なる本発明の目用水蒸気発生体１０Ｃの構成要素の平面的な位置関係を示した図である。
【００４３】
この水蒸気発生体１０Ｃは、図２の目用水蒸気発生体１０Ｂと同様に、水蒸気発生組成物１として即時性水蒸気発生組成物１ｐと持続性水蒸気発生組成物１ｑとを使用したものであるが、即時性水蒸気発生組成物１ｐを収容する第１の透湿性内袋２ｐとして、左右の目元上にそれぞれ位置する合計２個の透湿性内袋が設けられているのではなく、両眼の目元を同時に覆う１個の透湿性内袋２ｐが設けられている点が異なっている。このように、水蒸気発生部を両眼にまたがる位置に設けても、目に対して良好な水蒸気供給効果を与えることができる。
【００４４】
また、透湿性外袋４がアイマスク様形状ではなく、矩形となっている点が前述の目用水蒸気発生体１０Ａ、１０Ｂと異なっている。このように、本発明の目用水蒸気発生体は、目に適用できるかぎり種々の形状とすることができる。
【００４５】
図４の目用水蒸気発生体１０Ｄは、前述の図１の目用水蒸気発生体１０Ａに対して、水蒸気発生部である透湿性内袋２が、透湿性外袋４内の所定の位置に着脱自在に取り付けられる点が異なっている。これにより、透湿性内袋２内の水蒸気発生組成物１の水蒸気発生能が無くなっても、水蒸気発生能を有する新たな透湿性内袋２と交換できるので、アイマスク状の透湿性外袋４を継続的に使用することが可能となる。
【００４６】
このように透湿性内袋２を着脱自在に設ける方法としては、例えば、透湿性外袋４に透湿性内袋２を収容できるポケットを形成したり、目及び目の周囲に接する透湿性シートあるいは温度調節材３の裏面（目と反対側の面）の周囲あるいは裏面の少なくとも一部にマジックテープや接着テープをはり、その裏面に透湿性内袋２を着脱自在に固定してもよい。
【００４７】
この他、本発明の目用水蒸気発生体は、種々の態様をとることができる。例えば、上述の図１、図２に示した例では、透湿性内袋２内の水蒸気発生組成物１から放出された水蒸気を効率よく目及び目の周囲に導くために、透湿性内袋２の目と反対側の面２ｂを非透湿性としているが、透湿性内袋２全面を透湿性材料で形成し、その透湿性内袋２の目と反対側の面２ｂ上に非透湿性シートを配設してもよい。
【００４８】
【実施例】
図２の態様の目用水蒸気発生体１０Ｂを次のように作製した。
【００４９】
まず、吸水性ポリマー（日本触媒社製、商品名：アクアリックＣＡ）１０重量部、シリカゲル（和光純薬社製、商品名：ワコーゲルＣ−２００）３０重量部の混合物に１２．５ｗｔ％の食塩水１００重量部を加え、含水保水剤を調製した。
【００５０】
一方、粒径３２μｍ以下の鉄粉（同和鉄粉社製、商品名：ＲＫ−Ｈ）１０重量部と、活性炭（和光純薬社製）０．５重量部との混合物に先の含水保水剤５重量部を加え、即時性水蒸気発生組成物１ｐを得た。また、粒径１５０〜３００μｍの鉄粉（同和鉄粉社製、商品名：ＲＫ−Ｈ）１０重量部と、活性炭（和光純薬社製）０．５重量部との混合物に先の含水保水剤６重量部を加え、持続性水蒸気発生組成物１ｑを得た。
【００５１】
第１及び第２の透湿性内袋２ｐ、２ｑの構成素材としては、水蒸気発生面２ａ（上面）に不織布（三井化学社製、商品名：シンテックスＭＢ、坪量１５ｇ／ｍ２）を使用し、下面２ｂにエチレン−酢酸ビニル共重合体とポリエチレンが積層されたシート（日東電工社製、商品名：ニトタック）を使用した。そして即時性水蒸気発生組成物１ｐはこの１×３ｃｍの袋に１ｇ充填し、持続性水蒸気発生組成物１ｑは、３×３ｃｍの袋に３ｇを充填した。
【００５２】
第１及び第２の透湿性内袋２ｐ、２ｑの水蒸気発生面２ａを上面に向けて下面を固定台としての不織布３ａ（チッソ社製、商品名：エアレード不織布、坪量２４ｇ／ｍ２、大きさ６×１６ｃｍ）に図２のように接着し、水蒸気発生面２ａ上に６×１６ｃｍの不織布３ａ（固定台と同じ）及び紙３ｂ（クレシア社製、商品名：キムタオル）を温度調節材３として積層した後、全体を不織布（三井化学社製、商品名：シンテックスＭＢ、坪量１５ｇ／ｍ２）の透湿性外袋４に収容して目用水蒸気発生体１０Ｂを作製し、さらにその外側全体を気密性袋体（旭化成ポリフレックス社製、商品名：飛竜）（密封袋５）で密封した。
【００５３】
得られた目用水蒸気発生体１０Ｂは、気密性袋体から取り出した後、約３０〜４０秒で水蒸気の発生を開始した。最高水蒸気温度は４１〜４２℃であり、３８℃以上の水蒸気の発生を約１５分間維持した。
【００５４】
【発明の効果】
本発明によれば、眼精疲労、その他の問題を引き起こす目の乾きに対し、化学エネルギーを利用した簡便な構成により、蒸しタオルのような安全な湿気を持続的に目及び目の周囲へ導くことができる。
【図面の簡単な説明】
【図１】目用水蒸気発生体の構成要素の平面的な位置関係図（同図（ａ））及び部分断面図（同図（ｂ））である。
【図２】目用水蒸気発生体の構成要素の平面的な位置関係図（同図（ａ））及び部分断面図（同図（ｂ））である。
【図３】目用水蒸気発生体の構成要素の平面的な位置関係図である。
【図４】目用水蒸気発生体の構成要素の平面的な位置関係図である。
【符号の説明】
１    水蒸気発生組成物
１ｐ  即時性水蒸気発生組成物
１ｑ  持続性水蒸気発生組成物
２    透湿性内袋
２ａ  透湿性内袋の水蒸気発生面
２ｂ  透湿性内袋の水蒸気発生面と反対側の面
２ｐ  第１の透湿性内袋
２ｑ  第２の透湿性内袋
３    温度調節材
３ａ  不織布
３ｂ  紙
４    透湿性外袋
５    密封袋
９    粘着材
１０Ａ、１０Ｂ、１０Ｃ、１０Ｄ  目用水蒸気発生体
【図１】
0003629956.tif 000002
【図２】
0003629956.tif 000003
【図３】
0003629956.tif 000004
【図４】
0003629956.tif 000005